(57)【特許請求の範囲】
【請求項１】
遮断器本体部と、前記遮断器本体から張り出し形成されるとともに前記遮断器本体部の遮断回路に導電接続されてなる張出ブロックと、挿抜自在の棒状導電プラグとを有し、前記張出ブロックには、前記張出ブロックが配置される電源母線群の母線位置に対応する間隔で前記導電プラグを挿抜可能な複数個の導電プラグ差込み孔が形成されてなることを特徴とする回路遮断器。
【請求項２】
前記張出ブロックは、遮断器本体部から側方へ張り出すことを特徴とする請求項１に記載の回路遮断器。
【請求項３】
前記張出ブロックは、遮断器本体部から張り出す板体からなり、該張出ブロックの母線接続面には遮断回路に導電接続されてなる導電板が配設されてなることを特徴とする請求項１または２記載の回路遮断器。
【請求項４】
前記張出ブロックは、遮断器本体部から張り出す２本又は３本の板体からなることを特徴とする請求項１乃至３のいずれかに記載の回路遮断器。
【請求項５】
前記張出ブロックは、母線群が平行に配列された複数枚の母線搭載板上に搭載されてなる前記母線搭載板上の端部にまたがるように配置可能に形成され、前記張出ブロックの導電プラグ差込み孔に挿入される前記導電プラグは、前記母線搭載板の端部に形成されたプラグ挿入孔に挿入されて該母線搭載板上の母線と接続されることを特徴とする請求項１乃至４のいずれかに記載の回路遮断器。
【請求項６】
遮断器本体部に対して着脱可能に形成されるアダプタ基部と、前記アダプタ基部から張り出し形成されるとともに導電部を有してなる張出ブロックを有し、
前記張出ブロックには、前記張出ブロックが配置される電源母線群の母線位置に対応する間隔で棒状導電プラグが挿抜可能な複数個の導電プラグ差込み孔が形成されてなることを特徴とする回路遮断器用アダプタ。
【発明の詳細な説明】
【技術分野】
【０００１】
本発明は過大電源入力に対して作用する回路遮断器、特に、データセンターやその他の施設で用いられる交流電源の回路遮断器および該回路遮断器に装着されるアダプタに関する。
【背景技術】
【０００２】
従来、回路遮断器として遮断器本体部の後端下部に設けた係止孔に、遮断器取付板に形成した弾性引掛け爪を係止させるとともにプラグイン端子を母線バーに差し込んで遮断器の遮断回路と母線との接続を行うようにしたプラグイン式回路遮断器が知られている。このようなプラグイン式回路遮断器ではプラグイン端子を前記母線バーに対し斜め上方からこじるように嵌合することとなるため、前記プラグイン端子に無理な力が作用し、接続不良となったり、端子の毀損を生じたりするおそれがある。
【０００３】
また、接続する母線バーの高さ位置のずれや傾き等によってもプラグイン端子が変形することがある。この不具合を防止するため、プラグイン端子を回動するように構成したものが知られている（例えば特許文献１）。
【０００４】
さらに、このようなプラグイン端子の変形を防止するものとして、特許文献２に示すようなプラグイン回路遮断器も開示されている。これによれば、複数の母線バーのいずれかとプラグイン係合するプラグイン端子と、遮断器本体に連結されるプラグホルダーとから成るプラグインアダプタを有し、前記プラグイン端子に一対の凸部を形成するとともに、前記プラグホルダーには前記凸部と遊嵌して回動可能にプラグイン端子を保持するプラグイン端子取付開口を形成し、前記プラグイン端子と前記遮断器本体とをシャント導体を介して電気的に接続した構成としている。
【先行技術文献】
【特許文献】
【０００５】
【特許文献１】特開２０００−２２２９９７号公報
【特許文献２】特開２００９−９９４０５号公報
【発明の概要】
【発明が解決しようとする課題】
【０００６】
分電盤に要求される電源は多種にわたることが多く、これらいずれの電源に対しても対応できるようにすることが必要であり、これに応じて分電盤に付属される回路遮断器（ブレーカ）も多種容量の母線に対応できるものであることが要求される。しかし従来の回路遮断器はそれぞれの変圧器の母線に対応して母線ごとに設けられており、母線の数が増えると、それに応じて回路遮断器の個数も増え、分電盤全体が大形化しがちであった。
【０００７】
特にデータセンター等の大規模施設における消費電力量は、近年増加する傾向にある。例えば、あるデータセンターで用いられる従来のサーバの最大消費電力量は数百Ｗ程度であるが、このサーバを従来から用いられている電源で稼働させようとすると複数台の電源が必要となり、さらにサーバを効率的に稼働させようとするために仮想化を行うと消費電力量は数千Ｗオーダーとなる。このような、容量増大への要請に応えるために分電盤における変圧器の結線方式も従来の単相に加え三相を用いることとなり、要求される電圧も高くなる傾向にある。また、これらの結線方式や電圧が混在した分電盤が要求されることも多い。しかしながらこのような結線方式と要求される電圧のバリエーションに対応して接続される遮断器はそれぞれ形状、種類が異なり、１つの分電盤に対して多くの種類の遮断器が必要となっていた。また、注文に応じて分電盤を製造するに際しては、変圧器の結線形態と要求される電圧に対応させて複数種類の遮断器をあらかじめ取り揃えておく必要があった。
【０００８】
本発明の目的は、変圧器の母線群を構成する複数の母線のそれぞれや、使用する母線位置毎に設置する必要がなく、単相、三相等結線方式の異なる母線群に対して遮断器の共通化ができ、複数の電圧を引き出すことができ、かつ、相バランスよく電源をとることができ、さらには、回路遮断器が設置される分電盤の小形化、簡素化、コスト低減化を図り得る回路遮断器を提供することにある。
【０００９】
本発明はまた、必要とする母線との接続操作が容易であり、かつ、どの母線と接続されているかを外部から容易に確認できる回路遮断器を提供することを目的とする。
【００１０】
本発明はさらに、遮断器本体部に装着して１つの回路遮断器で電圧、結線形態など種々形式の母線に対応できるようにした回路遮断器用アダプタを提供することを目的とする。
【課題を解決するための手段】
【００１１】
上記目的を達成するため本発明に係る回路遮断器は、  遮断器本体部と、前記遮断器本体から張り出し形成されるとともに前記遮断器本体部の遮断回路に導電接続されてなる張出ブロックと、挿抜自在の棒状導電プラグとを有し、前記張出ブロックには、前記張出ブロックが配置される電源母線群の母線位置に対応する間隔で前記導電プラグを挿抜可能な複数個の導電プラグ差込み孔が形成されてなることを特徴とする。
【００１２】
本発明の１つの形態によれば、前記張出ブロックは、遮断器本体部から側方へ張り出すことを特徴とする。
【００１３】
本発明の他の形態によれば、前記張出ブロックは、遮断器本体部から張り出す板体からなり、該張出ブロックの母線接続面には遮断回路に導電接続されてなる導電板が配設されてなることを特徴とする。
【００１４】
本発明の他の形態によれば、前記張出ブロックは、遮断器本体部から張り出す２本又は３本の板体からなることを特徴とする。
【００１５】
本発明の他の形態によれば、前記張出ブロックは、母線群が平行に配列された複数枚の母線搭載板上に搭載されてなる前記母線搭載板上の端部にまたがるように配置可能に形成され、前記張出ブロックの導電プラグ差込み孔に挿入される前記導電プラグは、前記母線搭載板の端部に形成されたプラグ挿入孔に挿入されて該母線搭載板上の母線と接続されることを特徴とする。
【００１６】
また本発明によれば、遮断器本体部に対して着脱可能に形成されるアダプタ基部と、前記アダプタ基部から張り出し形成されるとともに導電部を有してなる張出ブロックを有し、
前記張出ブロックには、前記張出ブロックが配置される電源母線群の母線位置に対応する間隔で導電プラグが挿抜可能な複数個の導電プラグ差込み孔が形成されてなることを特徴とする回路遮断器用アダプタが提供される。
【発明の効果】
【００１７】
本発明によれば、母線群を構成する複数の母線のそれぞれに設置する必要がなく、差込みプラグの差込み位置を変えるだけで母線群の中の任意の母線との接続が可能であり、これによって分電盤の小形化、簡素化を図り、かつコストの低減をもたらすことができる。特に、本発明による回路遮断器は種々形態の入力母線が用いられるデータセンターやその他の施設における交流電源の分電盤や変圧器に適用して有用である。
【図面の簡単な説明】
【００１８】
【図１】本発明に係る回路遮断器を組み付けた分電盤の一例を示す概略的な正面図である。
【図２】本発明の実施例１に係る回路遮断器の正面側からみた斜視図（Ａ）および後面側からみた斜視図（Ｂ）である。
【図３】本発明の実施例２に係る回路遮断器の正面側からみた斜視図（Ａ）および後面側からみた斜視図（Ｂ）である。
【図４】図２に示す回路遮断器を電源母線群に対峙して配置した状態の外観斜視図である。
【図５】回路遮断器の導電プラグを選択的に母線群の母線搭載板に挿入した状態を示す概略的な平面図である。
【図６】三相７線式母線群に対する本発明の実施例による回路遮断器の配置例を示す正面図である。
【図７】三相３線式母線群に対する本発明の実施例による回路遮断器の配置例を示す正面図である。
【図８】本発明の回路遮断器と組み合せる場合の三相７線式変圧器の結線例を示す図である。
【図９】本発明の回路遮断器と組み合せる場合の三相３線式変圧器の結線例を示す図である。
【図１０】本発明の回路遮断器の出力電圧と母線接続位置の関係を例示した表である。
【図１１】変圧器の利用率（変圧器バンク出力/変圧器容量）を示すグラフである。
【図１２】図２に示す回路遮断器の母線および出力端子との接続構造を示す断面図である。
【発明を実施するための形態】
【００１９】
本発明の実施の形態について、図面を参照して説明する。まず、本発明の実施の形態の回路遮断器（ブレーカ）の構造について説明する。
【００２０】
図２を参照すれば、実施例１にかかる回路遮断器１の本体部２は、前面に手動スイッチノブ３を備え、内部はヒューズ等の遮断回路が収納され、また、ねじ孔を介して取付ねじにより例えば分電盤のパネルに取り付けられ出力端子１３が端子台側の出力プラグに固定されるようになっている。
【００２１】
回路遮断器本体部２の側部から外方へ伸長するように２本の板状の張出ブロック５が該側部から側方へ張り出しており、この各張出ブロック５の後面（背面）には長尺の導電板６（図２（Ｂ））が取り付けられている。導電板６は本体部２内の遮断回路と導電接続されている。張出ブロック５の前面から、後面の導電板６にかけて複数個（図示の例では７個）のプラグ差込み孔７が等ピッチで貫通しており、これらのプラグ差込み孔７に導電プラグ８が挿入され、これによって導電プラグ８と導電板６とが電気的に接続される。張出ブロック５に挿入された導電プラグ８はブロック後面の導電板６からさらに後方へ長く突出されている。このような張出ブロック８および該ブロック８の後面に設けられた導電板６によって本発明の実施例に係る回路遮断器用アダプタ１０が構成される。なお、このアダプタ１０は遮断器本体部２に対して一体に固着されるか、あるいは着脱可能に取り付けられてもよい。着脱可能なアダプタ１０とすれば、種々の容量の回路遮断器本体２と組み合わせることができる。このアダプタ１０の着脱は導電板６と遮断回路が電気的に接続されるいかなる手段であってもよく、たとえば導電板６が遮断回路に導電接続するようにねじ止めする、回路遮断器本体２で挟み止める等が挙げられる。
【００２２】
また、プラグ差込み孔７の数を図示の例では７個としているが、これは回路遮断器１を接続する変圧器の例として後述する三相７線式の変圧器と三相３線式の変圧器の母線群双方に対応できるようにしたものであって、プラグ差込み孔７の数はこれに限定されるものではない。
【００２３】
図４、図５を参照して、回路遮断器１が接続される母線搭載板９の構造と、回路遮断器１と母線搭載板９の接続状態を説明する。張出ブロック５の後方には、該ブロック５の後面に対して垂直に複数枚の母線搭載板９が配置され、これらの母線搭載板９には、変圧器を介して電源につながる複数の母線９１が搭載されている。複数枚の母線搭載板９は、互いに平行に、張出ブロック５のプラグ差込み孔７の配列ピッチと同じピッチで配置され、その前端部はＬ形に曲折され、このＬ形曲折部９２に導電プラグ８の先端部を挿入するためのプラグ挿入孔９３が形成されている。また、母線搭載板９上の母線９１は母線搭載板９のＬ形曲折部９２のプラグ挿入孔９３と電気的に接続されており、したがって張出ブロック５の前面から母線搭載板９のプラグ挿入孔９３へ導電プラグ８が挿入された状態では、この導電プラグ８に対応する位置の母線は、導電プラグ８および導電板６（図２（Ｂ））のプラグ差込み孔７、母線搭載板９のＬ形曲折部９２のプラグ挿入孔９３を介して、遮断器本体部２の遮断回路に接続される。なお、導電プラグ８は張出ブロック５のプラグ差込み孔７から挿抜可能であり、また張出ブロック５の前面側から導電プラグ８の挿入状態、挿入箇所が容易に目認可能である。回路遮断器１を母線搭載板９への接続する際には、接続する母線の位置に対応する回路遮断器１のプラグ差込み孔７に導電プラグ８を挿入し、母線搭載板９のプラグ挿入孔９３へ該導電プラグ８を挿入することで、所望の母線に回路遮断器１を接続するようになっている。
【００２４】
図３（Ａ），（Ｂ）は本発明の実施例２による回路遮断器１１の前面側からみた斜視図（同図（Ａ））、および後面側からみた斜視図（同図（Ｂ））である。この実施例２の回路遮断器１１は実施例１と基本的には同様であるが、実施例２ではアダプタ１０が遮断器本体部２を囲包するように該本体部２に装着されている。具体的には、実施例２のアダプタ１０は遮断器本体部２の前面側の左右両側部および上下側部を囲むアダプタ基部１０ａと、該基部１０ａの片側部から側方へ張り出た２本の張出ブロック１０ｂとを有し、この張出ブロック１０ｂの後面には図２の実施例１と同様に導電板（図示せず）が貼着され、かつ張出ブロック１０ｂの前面から、後面の前記導電板にかけて貫通する複数個（図示の例では７個）のプラグ差込み孔７が等ピッチでブロック長さ方向に形成されている。前記導電板は遮断器本体部２の遮断回路と導通しており、張出ブロック１０ｂの後部側に図４で示したような複数枚の母線搭載板が配置され、張出ブロック１０ｂのプラグ差込み孔７に導電プラグ８を挿入し、さらに、図４に示す母線搭載板先端の前記Ｌ形曲折部のプラグ挿入孔へ嵌入させることにより、前記母線搭載板上の電源母線は導電プラグ８および前記導電板を介して遮断器本体部２の遮断回路に接続される。この関係は図２の実施例１の場合と同様である。なお、実施例２においても、アダプタ１０は固定的に遮断器本体部に装着されるか、あるいは必要に応じて遮断器本体部２に対して取り付け、取り外しができるよう装着される。図３の符号３は遮断器本体部２の前面に設けられたスイッチノブである。
【００２５】
図６、図７に示す本発明の実施例３による三相回路に接続される回路遮断器１２について説明する。この回路遮断器１２は、回路遮断器本体部の側部から外方へ伸長するように３本の板状の張出ブロック５１が該側部から張り出しており、この各張出ブロック５１の後面（背面）には長尺の導電板が取り付けられている。張出ブロック５１の前面から、後面の導電板にかけて複数個のプラグ差込み孔が貫通しており、これらのプラグ差込み孔に導電プラグが挿入され、これによって導電プラグと導電板が電気的に接続される。この回路遮断器１２の他の構成は、実施例１、実施例２と基本的には同様であるため説明を省略する。
【００２６】
上述のように複数個のプラグ差込み孔７をもつアダプタ１０を遮断器本体部２に装着した本発明による回路遮断器１、１１、１２は電源母線群を成す母線搭載板９とともに複数個並べて分電盤の取付壁部に取り付けられる。図１はこのように複数個の回路遮断器１を母線搭載板９を中央に２列状態で縦方向に配列して正面取付壁部２６に取り付けた分電盤２０を示している。この場合、各々の回路遮断器本体２から伸張されるアダプタ１０（張り出しブロック５）が母線搭載板９前方に張り出して各回路遮断器が横置状態に配置される。したがって、回路遮断器本体２のアダプタ１０（張り出しブロック５）の他端側各出力端子１３も各列毎に整列し出力プラグ１０２等を介して分電ケーブル２５へと繋がる。なお、この配列形態については図６、図７、図１０に関してさらに後述する。電源母線群は分電盤２０内で回路遮断器列の後方に該遮断器に対応して収容されている。回路遮断器１のアダプタ１０に差し込まれる差込みプラグおよびその差込み位置は分電盤２０の正面側から容易に視認可能である。
【００２７】
また、図１２に基づいて、各回路遮断器１の接続構造を説明すれば、回路遮断器１の入力側は、選択する母線９１のプラグ挿入孔９３に張り出しブロック５の対応するプラグ差込み孔７に導電プラグ８を挿入した状態で母線搭載板９にプラグインして接続される。回路遮断器１の出力端子１３は、出力端子台１０１側に固定されている出力プラグ１０２が挿入されることにより出力端子台１０１と電気的に接続される。また、出力端子台に繋がる基板１０４には、警報プローブ１０３、変流器１０５が搭載されている。また、これらの配線用遮断器１を含む各装置は基板１０４と端子台１０６を介して分電盤２０の取付壁部２６に固定される。
【００２８】
次に、本発明の回路遮断器１、１１、１２と組み合わされる好適な変圧器の例とこれに対する回路遮断器の接続例について説明する。
【００２９】
図８に示すのは、本発明の実施例に係る回路遮断器と組み合せる三相７線式変圧器の結線状態を示した図であり、この三相７線式変圧回路の７本の配線が母線９１を成している。この三相７線式変圧回路は、４線式Δ−Ｙ結線で、三相負荷（２１０Ｖ）に加えて、この２次側結線の回路途中から１次側結線を引き出して単相負荷（１０５Ｖ）に供給するようになっている。この三相７線式変圧回路を用いることにより、１００Ｖ、２００Ｖおよび単相、三相の組み合わせを自由に引き出すことができ、図１１に示す如く、変圧器の容量を効率良く１００％利用することが可能である。
【００３０】
この三相７線式変圧回路の出力電圧と母線接続位置の模式例を、図１０表（Ａ）に示す。図１０表（Ａ）の横列は、母線位置すなわち対応するプラグ差込み孔７（１）〜（７）に対応する。単相１００Ｖは、図８に示す回路において、１００Ｖ（Ｕ）と中性線（Ｎ）の母線から引き出し、図１０（Ａ）に示す如く、対応する回路遮断器１のプラグ差込み孔７の（１）と（４）の個所に導電プラグ８を挿入する。また、単相２００Ｖは、２００Ｖ（Ｕ）と２００Ｖ（Ｖ）の母線から引き出し、対応するプラグ差込み孔７の（５）と（６）の個所に導電プラグ８を挿入する。また三相２００Ｖは、２００Ｖ（Ｕ）と２００Ｖ（Ｖ）と２００Ｖ（Ｗ）から引き出し、三相回路用の回路遮断器１２の対応するプラグ差込み孔７の（５）（６）（７）の個所に導電プラグ８を挿入する。
【００３１】
図６は、前記変圧器の三相７線式母線群に対する回路遮断器１の配置例を示した正面図である。この例は、上述した接続例を応用して、一次側のΔ結線（１７３Ｖ、１００Ｖ、１００Ｖ）と、二次側のＹ結線（２００Ｖ、２００Ｖ，２００Ｖ）から、例えば、第１列の出力側２３ａに、２系統の単相２００Ｖ出力と、２系統の単相１００Ｖ出力とを出力し、第２列の出力側２３ｂに、１系統の単相２００Ｖ出力と、１系統の三相２００Ｖ出力と、１系統の単相１００Ｖ出力を相バランスよく引き出す配置例であって、６個の回路遮断器１と１個の三相回路用の回路遮断器１２とが用いられる。図６において、三相７線式母線群９１を挟むように片側に２個の単相２００Ｖ出力（導電プラグ８接続位置ｕ１，ｖ１），（ｕ１，ｗ１）の回路遮断器１ａ、１ｂと、２個の単相１００Ｖ出力（ｕ２，ｎ），（ｗ２，ｎ）の回路遮断器１ｃ、１ｄが配置され、他方の片側に１個の単相２００Ｖ出力（ｖ１，ｗ１）の回路遮断器１ｅと、１個の三相２００Ｖ出力（ｕ１，ｖ１，ｗ１）の回路遮断器１２と、１個の単相１００Ｖ出力（ｖ２，ｎ）の回路遮断器１ｆとが配置され、遮断器入力側となるアダプタ１０の張出ブロック５がそれぞれ母線群９１の端部にまたがるように、かつ、図２、図４で説明した母線群の各母線搭載板のＬ形曲折部のプラグ挿入孔とアダプタ１０のプラグ差込み孔７とが整合するように伸長されている。母線群の両側から伸張される双方の張出ブロック５は交互に噛み合うように配置される。
【００３２】
このような図６の配置構成でアダプタ１０のプラグ差込み孔７を選択し、このプラグ差込み孔７に導電プラグを差し込むことにより、必要な母線と回路遮断器との接続がなされる。図６で黒丸で示したプラグ差込み孔７が導電プラグ８の差し込まれた箇所である。
【００３３】
図９に示すのは、本発明の実施例に係る回路遮断器と組み合せる三相３線式変圧器の結線状態を示した図であり、この三相３線式変圧回路の６本の配線が母線９４を成している。この三相３線式変圧回路は、一次側Δ結線に対して、二次側を１００ＶのΔ結線と２００ＶのΔ結線の２本の巻線にした変圧回路である。この三相３線式変圧回路を用いることにより、１００Ｖ、２００Ｖおよび単相、三相の組み合わせを自由に引き出すことができ、図１１に示す如く、変圧器の容量を効率良く１００％利用することが可能である。また、この変圧回路は接地されないため病院等の他の電子機器への影響を抑制したい施設で用いるのに好適な変圧器である。
【００３４】
この三相３線式変圧回路の出力電圧と母線接続位置の模式例を、図１０表（Ｂ）に示す。図１０表（Ｂ）の横列は、母線とこれに対応するプラグ差込み孔７（１）〜（７）に対応する。この三相３線式変圧回路は、中性線を有さないため、プラグ差込み孔７（１）〜（７）のうち（４）の位置は使用されないこととなる。単相１００Ｖは、図９に示す回路において、１００Ｖ（Ｕ）と１００Ｖ（Ｖ）の母線から引き出すので、図１０（Ｂ）に示す如く、対応する回路遮断器１のプラグ差込み孔７の（１）と（２）の個所に導電プラグ８を挿入する。また、単相２００Ｖは、２００Ｖ（Ｕ）と２００Ｖ（Ｖ）の母線から引き出すので、対応するプラグ差込み孔７の（５）と（６）の個所に導電プラグ８を挿入する。また三相２００Ｖは、２００Ｖ（Ｕ）と２００Ｖ（Ｖ）と２００Ｖ（Ｗ）から引き出すので、三相回路用の回路遮断器１２の対応するプラグ差込み孔７の（５）（６）（７）の個所に導電プラグ８を挿入する。
【００３５】
図７は２つの三相３線式母線群に対する本発明に係る回路遮断器１の配置例を示した正面図である。この例は、上述した接続例を応用して、一次側のΔ結線（１００Ｖ）と、二次側のΔ結線（２００Ｖ）から、例えば、第１列の出力側２４ａに、２系統の単相２００Ｖ出力と、２系統の単相１００Ｖ出力、第２列の出力側２４ｂに、１系統の単相２００Ｖと、１系統の三相２００Ｖ出力と、１系統の単相１００Ｖ出力と、１系統の三相１００Ｖを相バランスよく引き出す配置例であって、６個の回路遮断器１と２個の三相回路用の回路遮断器１２とが用いられる。図７において、三相３線式母線群９４を挟むように片側に２個の単相２００Ｖ出力（導電プラグ８接続位置ｕ１，ｖ１），（ｕ１，ｗ１）の回路遮断器１ａ、１ｂと、２個の単相１００Ｖ出力（ｕ２，ｖ２），（ｕ２，ｗ２）の回路遮断器１ｃ、１ｄが配置され、他方の片側に１個の単相２００Ｖ出力（ｖ１，ｗ１）の回路遮断器１ｅと、１個の三相２００Ｖ出力（ｕ１，ｖ１，ｗ１）の回路遮断器１２ａと、１個の単相１００Ｖ出力（ｖ２，ｗ２）の回路遮断器１ｆと、１個の三相１００Ｖ出力（ｕ２，ｖ２，ｗ２）が配置され、遮断器入力側となるアダプタ１０の張出ブロック５がそれぞれ母線群９４の端部にまたがるように、かつ、図２、図４で説明した母線群の各母線搭載板のＬ形曲折部のプラグ挿入孔とアダプタ１０のプラグ差込み孔７とが整合するように伸長されている。母線群の両側から伸張される双方の張出ブロック５は交互に噛み合うように配置される。
【００３６】
このような図７の配置構成でアダプタ１０のプラグ差込み孔７を選択し、このプラグ差込み孔７に導電プラグ８を差し込むことにより、必要な母線と回路遮断器との接続がなされる。図７で黒丸で示したプラグ差込み孔７が導電プラグ８の差し込まれた箇所である。
【００３７】
これらのような、上述の回路遮断器と母線との接続形態また出力電圧は、一例であり、その他にも電源側母線の電圧や結線形態（例えば、他にもＹ−Ｙ、Ｙ−Δ、Ｖ−逆Ｖの結線方式）求められる出力電圧により、プラグ差込み孔の選択で種々の接続が実現できる。すなわち、本発明の回路遮断器および回路遮断器用アダプタは、提供される電源電圧、結線方式、要求される出力、これらから導き出される相バランスに応じてプラグ差込み孔７を選択し、プラグ差込み孔７に導電プラグ８を差し込んだ状態で母線９１にプラグイン接続することができる汎用性の高い回路遮断器および回路遮断器用アダプタである。
【００３８】
上述のように本発明によれば、回路遮断器または遮断器本体部に設けたアダプタの複数個のプラグ差込み孔に対して導電プラグの差込み位置を変えるだけで、電圧、結線形式など多くの形態の電源側母線に対処でき、従来のように母線毎にこれに合った回路遮断器を設置する必要がなく、少ない回路遮断器で出力電圧、極数、相形式、それらの組み合せ等を自由に変更することができる。また、遮断器本体部に装着するアダプタを変えるだけで遮断器本体部そのものは従来のものをそのまま使用でき、回路遮断器およびこれを組み込んだ変圧器や分電盤のコスト低減がもたらされる。そして、図１、図１２に示すように、分電盤２０に配置した際には、形状が共通化された回路遮断器を隙間無く並べることができ、母線搭載板９と出力端子１３を整列させることができるので複雑な配線が不要である。したがって、分電盤の小形化、簡素化が図られる。
【符号の説明】
【００３９】
１，１１，１２  回路遮断器
２  遮断器本体部
３  スイッチノブ
５  張出ブロック
５１  張出ブロック
６  導電板
７  プラグ差込み孔
８  導電プラグ
９  母線搭載板
１０  アダプタ
１３  出力端子
９１，９４  母線
９２  Ｌ形曲折部
９３  母線搭載板のプラグ挿入孔
２０  分電盤
２１  三相負荷
２２  単相負荷
２５  分電ケーブル
２６  取付壁部
１０１  出力端子台
１０２  出力プラグ
１０３  警報プローブ
１０４  基板
１０５  変流器
１０６  端子台
【図１】
0005725952.tif 000002
【図２】
0005725952.tif 000003
【図３】
0005725952.tif 000004
【図４】
0005725952.tif 000005
【図５】
0005725952.tif 000006
【図６】
0005725952.tif 000007
【図７】
0005725952.tif 000008
【図８】
0005725952.tif 000009
【図９】
0005725952.tif 000010
【図１０】
0005725952.tif 000011
【図１１】
0005725952.tif 000012
【図１２】
0005725952.tif 000013